(57)【特許請求の範囲】
【請求項１】
少なくとも１つの可撓性刃（２２，２４，２６）と刃支持体とを有し、刃支持体を含めたカミソリヘッド全体が刃の長手方向の軸線に沿って撓む可撓性カミソリヘッドであって、前記刃支持体は、前記刃の刃面を直接支持し該刃に作用するシェービング力に応答して圧縮可能なゴム状材料で形成された上方支持部分（３０）と、該上方支持部分を形成するゴム状材料より硬度が大きい材料で形成されて前記上方支持部分（３０）を支持する下方支持部分（７０）とから成り、前記上方支持部分と前記下方支持部分とが上下で一体に接続されて刃支持体を構成していることを特徴とする可撓性カミソリヘッド。
【請求項２】
前記ゴム状材料は、約３０ないし約８０ショア(Shore)Ａの硬度を有する請求項１に記載のカミソリヘッド。
【請求項３】
前記ゴム状材料は、約３５ないし約４５ショアＡの硬度を有する請求項２に記載のカミソリヘッド。
【請求項４】
前記ゴム状材料は、約４０ショアＡの硬度を有する請求項３に記載のカミソリヘッド。
【請求項５】
前記刃支持体は、少なくとも１つの前記刃（２２，２４，２６）を垂直方向に変位させることができるようにする請求項１に記載のカミソリヘッド。
【請求項６】
前記刃支持体は、少なくとも１つの前記刃（２２，２４，２６）を角度的に変位させることができるようにする請求項１に記載のカミソリヘッド。
【請求項７】
前記上方支持部分（３０）は、全体がゴム状材料から形成されている請求項１に記載のカミソリヘッド。
【請求項８】
前記カミソリヘッドは、複数の可撓性刃（２２，２４，２６）を有する請求項１に記載のカミソリヘッド。
【請求項９】
前記刃支持体は、少なくとも２つの前記刃の間に配置された複数のスペーサ（４０，５０，６０）を有する請求項８に記載のカミソリヘッド。
【請求項１０】
前記カミソリヘッドは、キャップ刃（２２）と、中間刃（２４）と、シート刃（２６）とを有する請求項１に記載のカミソリヘッド。
【請求項１１】
前記カミソリヘッドは、前記キャップ刃（２２）と前記中間刃（２４）との間、および前記中間刃（２４）と前記シート刃（２６）との間に配置された複数のスペーサ（４０，５０）を有する請求項１０に記載のカミソリヘッド。
【請求項１２】
前記スペーサ（４０，５０，６０）は、圧縮可能なゴム状材料から形成される請求項９又は１１に記載のカミソリヘッド。
【請求項１３】
前記ゴム状材料は、サーモプラスティックエラストマーである請求項１に記載のカミソリヘッド。
【請求項１４】
前記刃支持体は、サーモプラスティックエラストマーを有する皮膚係合面を備えたキャップ（３２）および側部（３４）を有する請求項１に記載のカミソリヘッド。
【請求項１５】
前記下方支持部分（７０）は、分割されたガードバー（８０）を有する請求項１に記載のカミソリヘッド。
【請求項１６】
前記ガードバーの前方に配置された弾性皮膚係合エレメントを有する請求項１５に記載のカミソリヘッド。
【請求項１７】
前記上方支持部分（３０）および下方支持部分（７０）は一体的に形成される請求項１に記載のカミソリヘッド。
【請求項１８】
シェービング補助剤を有する請求項１に記載のカミソリヘッド。
【請求項１９】
前記シェービング補助剤は、潤滑剤、医薬剤、ビタミン、化粧品、止血剤、アストリンゼン、洗浄剤、皮膚コンディショナおよびその混合物から成るグループから選択された少なくとも１つの材料を有する請求項１８に記載のカミソリヘッド。
【請求項２０】
前記シェービング補助剤は、複数のシェービング補助成分を有する請求項１９に記載のカミソリヘッド。
【請求項２１】
前記支持体は固定されたガードを有する請求項１に記載のカミソリヘッド。
【請求項２２】
前記支持体は動的ガードを有する請求項２１に記載のカミソリヘッド。
【請求項２３】
前記刃に作用するシェービング力に応答して圧縮可能なゴム状材料を有する刃支持体によって支持される複数の刃（２２，２４，２６）を有する請求項１に記載のカミソリヘッド。
【請求項２４】
３つの刃（２２，２４，２６）を有する請求項２３に記載のカミソリヘッド。
【請求項２５】
シェービング力に応答して凸形状および凹形状に撓むことができる請求項１に記載のカミソリヘッド。
【発明の詳細な説明】
【０００１】
【発明の属する技術分野】
本発明は、可撓性カミソリヘッドに関し、特にシェービング中に皮膚表面の輪郭に従うように凸形状および凹形状にたわむことができる超可撓性カミソリヘッドに関する。
【０００２】
【従来の技術】
皮膚に緊密に接する快適なひげそりを行うために安全カミソリのようなシェービング装置が広く使用されている。安全カミソリは、剛性のガードと剛性のキャップとの間に通常、２枚または３枚の刃を含んでいた。これらのエレメントの各々は、通常、互いに関して固定されており、シェービンク中に皮膚に接触するように配置されている。しかしながら、種々の皮膚の輪郭及び割れ目は、このような固定された刃の構造の直線性とシェービング力の不釣り合いを形成し、切り傷及び切れ目をつくる危険性が生じる。
【０００３】
突出する皮膚領域の輪郭に追随するために凹形状になるように下方にたわむ可撓性刃を使用するシェービングシステムが使用されている。しかしながら、わきの下、顔および首の凹形状の領域を毛ぞりするためにカミソリヘッドを凸形状にすることは示されていない。
【０００４】
したがって、刃がシェービング中の皮膚面の凹形状および凸形状の双方の輪郭にさらに緊密に適応することができるシェービング装置を提供することが望ましい。さらに、複数の刃がシェービング中の皮膚面の凹形状および凸形状の双方の輪郭にさらに緊密に適応し、互いにおよび皮膚面に対して垂直方向変位および角度的変位をすることができるシェービングシステムを提供することが望ましい。このようなシステムは、切り傷および切れ目を形成する可能性を無くし、各ひげそりストロークがさらに有効になるように刃の縁部の長さを横断する方向に切断力を配分する。
【０００５】
【課題を解決するための手段】
本発明の種々の実施例は、少なくとも１つの刃と、キャップおよびシートおよび側壁を有する支持体と、を有し、この支持体は、少なくとも１つの刃の一部を包囲し、可撓性を有するように支持する弾性材料、例えば、サーモプラスティックエラストマーを有するカミソリヘッドに関する。
【０００６】
本発明の他の実施例は、少なくとも１つの刃と、交互に形成された切出部分および突出して分割された前方部分を有する可撓性下方部分を備えた支持体と、を備えたカミソリヘッドに関する。
【０００７】
【発明の実施の形態】
以下、本発明の実施例を図面を参照して詳細に説明する。
【０００８】
本発明の種々の実施例は、凹形状および凸形状に、例えば、上方および下方の双方にたわみ、シェービング中に湾曲面に適応することができるカミソリヘッドに関する。本発明の実施例において、刃は垂直方向変位および角度的変位をすることが可能である。
【０００９】
本発明の１つの実施例を図１及び図２に示す。本発明の実施例は、キャップまたは後方刃２２と、中間刃２４と、シートまたは前方刃２６との３つの可撓性刃を支持している可撓性性上方支持部分３０を備えた超可撓性カミソリヘッドを有する。図示した実施例において、可撓性上方支持部分３０は、可撓性下方支持部分７０に接続され、この部分７０は、カミソリ（図示せず）に固定するように着脱可能に取り付けることができる。図１は、ダッシュラインで、凹形状および凸形状にたわんだカミソリヘッド１０を示す。
【００１０】
この明細書で使用する“カミソリヘッド”という用語は、別のカミソリに接続されるようになっているカートリッジと、ハンドルと切断部分とが１つのユニットとして形成されている使い捨てカミソリヘッドの作動的な切断部分とを含む。この明細書で使用する“可撓性”という用語は、ひげそりの力に応答して刃の長手方向の軸線に沿った刃の曲げ能力を示すために使用される。また“超可撓性”という用語は、刃の長手方向の軸線に沿った刃の曲げ能力並びに垂直方向変位および角度的変位をするようにたわむ刃の能力を示すために使用される。さらに“ゴム状”という用語は、サーモプラスティックエラストマーのような天然および合成のエラストマー物質の双方を含む。本発明のゴム状材料は、約３０ないし約８０ショア(Shore)Ａ、好ましくは約３５ないし約４５ショアＡ、およびもっとも好ましくは約４０ショアＡの硬度値を有する。
【００１１】
図１および図２に示した図示した実施例において、可撓性上方支持部分３０は、キャップ刃２２に取り付けられたゴム状キャップ３２と、刃の端部部分が中に伸びている両側のゴム状部材３４と、刃２２，２４及び２６を間隔を置いた関係で支持する複数のゴムスペーサとを有する。図２，４および５に最もよく示すように、複数のゴム状スペーサ４０は、キャップ刃２２と中間刃２４との間に配置され、複数のゴム状スペーサ５０は、中間刃２４とシート刃２６との間に配置される。ゴム状スペーサ６０は、シート刃２６の底部に沿って伸びており、それに取り付けられている。
【００１２】
図示するようにカミソリヘッド１０の上方部分は、垂直方向に間隔を置いた関係で、また支持体の幅を横切って水平方向に間隔を置いた関係で刃を弾性的に可撓性を有するように支持するように刃を包囲する。刃を弾性的に可撓性を有するように支持することに加えて、好ましくは、キャップおよび側壁にゴム状材料を使用することによって、比較的に大きな摩擦の皮膚係合面を提供する。このような材料は、シェービング中に皮膚を拡張し、皮膚面上のカミソリヘッドの制御を向上させて、シェービング中に皮膚をすべることができる従来の剛性のポリマー材料よりさらに密接なシェービングを行うことができるようにする。
【００１３】
好ましくは、可撓性上方支持部分は、約３０ないし約８０ショアＡ、好ましくは約３５ないし約４５ショアＡ、およびもっとも好ましくは約４０ショアＡの硬度値を有するゴム上材料から形成されている。
【００１４】
本発明によれば、可撓性上方支持部分をゴム状材料で形成することによって、刃がシェービング中に大きな動的運動を実行することができることは当業者には明らかであろう。特に、図７に示すように、その長さ方向に沿って凹形状にまたは凸形状に刃がたわむことができるようにすることに加えて、ゴム状材料は、クッションのように作用し、例えば圧縮され、毛ぞりの力を受けたときに刃２２，２４および２６が下方および傾斜方向のいずれにも変位することができ、皮膚とクッションを備えた刃との間の力を均等化するように自己調整する。この均等化は、皮膚と切断縁との間の正しい相互作用を行い、円滑で快適で肌に緊密なシェービングを行うように設計されている。
【００１５】
図１に示すように、可撓性下方支持体７０は、上方支持部分３０を可撓性を有すように支持し、カミソリ（図示せず）に固定するように取り付けることができるように構成されている。図６に最もよく示すように、この図示した実施例において、下方支持部分７０は、交互に配置された切出部分７４を有し、シェービング中に出合う力に応答して凹形状または凸形状のいずれかにたわむように正弦波形状の支持体が形成されているほぼ平坦な後方部分７２を有する。図示した後方部分７２は、下方に伸びる波形接続部材によって接続されるほぼ平坦な刃シートセグメントを有する前述した可撓性カミソリヘッドとは異なる。可撓性下方部分７０の後方部分７２は、従来の波形シ−トと比較して材料が少なくてすみ、さらに容易にたわむことができる。
【００１６】
また下方支持体７０は、ほぼＴ形状のセグメントを備えた複数の分割前方部分７６を有し、このＴ形状セグメントは、後方部分７２の底面から片方が支持されており、可撓性セグメントガードを形成するために独立してたわむことができる。後方部分７２および分割されたフロント部分７６は、シェービング力に応答して下方の可撓性支持部分７０がたわみ長くなることができるように構成されている。
【００１７】
図６の底面図は、底部から見たときに正弦波形の旋回型後方部分７２を示すが、また、可撓性上方部分３０を形成する際に使用される弾性材料で後方部分の旋回部分を包囲することも本発明の範囲内である。好ましくはゴム状スペーサ６０は、後方部分７２の繰り返し形成された切出部分７４に伸びている。さらに、刃は刃の支持ピンが挿入される穴７８を備えている。
【００１８】
図５に示すように前方部分７６は、弾性ガード部分８０を支持する棚部分７８を有する。図１に示すように、ガード部分８０は、支持体３０の長さの大部分の長さにわたって伸びており、分割された前方部分７６に取り付けられている。好ましくは、ガード部分８０は複数のほぼ傾斜して伸びる溝８２を有する。望ましくは、溝は約３０°傾斜しており、ガードの一方の側で１つの方向で配置されており、ガードの他方の側で他方に向かう方向に配置されている。このような溝を提供することは、水平方向に溝を設けるよりも大部分のシェービング潤滑剤を皮膚面の上に残すことができる。好ましくは、ガード部分８０は、可撓性上方支持部分３０を形成する際に使用される弾性材料から形成されている。
【００１９】
本発明の記載から、分割ガードを形成する分割部分は、密接な快適な毛ぞりを達成するために容易に凸形状および凹形状にたわませることによって皮膚面に適合するようにクッション性を備えた刃と相互に作用するある程度の動的動作を行う。
【００２０】
図６に示すように、可撓性下方支持部分７０は、カミソリ（図示せず）に着脱可能に取り付ける取付部分７５を備えている。好ましくは、カミソリヘッド１０は、カミソリヘッドをたわませることができるカミソリに着脱可能に取り付けることができ、すなわち、カミソリヘッド１０の一部を、例えば、下方に向けるシェービング力に応答して、カミソリヘッドの異なる部分を他の方向に、例えば、上方に移動するように取り付けることができる。このようなカミソリは、ここに参考として組み込まれているシェービング力に応答してカミソリヘッドをたわませるカミソリと題された米国特許出願第０８／７８５，４７５号に示されている。
【００２１】
この実施例には、中実のゴム状キャップと、中実の足部および中実のゴム上スペーサを有するように説明したが、この説明から当業者は、キャップ、側部、中空のスペーサを提供すること、またはその外側にゴム状材料の層を有するのみのスペーサを提供することが適当であることを理解できよう。好ましくは、キャップ３２、反対側３４およびスペーサ３６は、適当な弾性ゴム状材料、例えば、イリノイ州のカリーのＧＬＳ社によって製造されたDynaflexGS6740またはGSL-G2712-45A、マサーセッツ州Ｊ−ｖｏｎＬＰ社レオミンスターによって製造されたJ-Von-Hercuprene3000-45Aおよび他の適当なサーモプラスティックエラストマーから製造される。
【００２２】
好ましくは、可撓性下方支持部分８０は、上方部分３０より大きな硬度を有する堅さを有する適当な材料、例えば、ポリプロピレン、ポリエチレン、スチレン、ＡＢＳ（アクリロニトリルーブタジンースチレン）またはその組み合わせから製造される。望ましくは、キャップ、スペーサ、側部およびシートの材料が選択され、支持体および刃の固有の弾性は、支持体および刃を元の位置に戻すために十分である。
【００２３】
ハウジングの上方および下方部分が一体的に形成されるように示したが、それらは、分離した部品として形成され続いて組み立てられるように形成することができる。この説明から、射出成形または成形段階の組み合わせによって支持体を形成することを当業者が理解することができる。さらに、刃は、キャップ、スペーサおよびその弾性シートにさらに強く取り付けるために１つまたはそれ以上の穴を備えることができる。
【００２４】
図２に示すように、複数のスペーサ４０および５０を備えたハウジング２０の形状は、隣接する刃の間に配置された１つの中実のスペーサに比較して刃の間のスペーサからシェービングくずを洗い流すための洗浄性を改良する。
【００２５】
さらに、３つの刃を提供した図示した実施例は、５０％切断縁を増大し、シエービングの緊密性および有効性を改良する。
【００２６】
本発明の他の好ましい実施例は、上述したような、カミソリヘッド１０が皮膚係合シェービング補助剤を有するカミソリヘッドを有する。好ましくは、シェービング補助剤材料９０は、キャップ６２の凹所部分に取り付けられる複数のセグメントの形態である。
【００２７】
シェービング補助剤として多数の異なる材料が示されている。この明細書で使用する“シェービング補助剤”という用語は、非水溶性微小孔マトリックス構造のような分配装置内に組み込まれた活性成分か、または活性成分単独のものを言う。前述した活性成分は、参考としてここに組み込まれたBoothに付与された米国特許第４，１７０，８２１号に示されている。シェービング補助剤は次の１つまたは種々の組み合わせを有する。
【００２８】
Ａ．カミソリと皮膚との間の摩擦力を低減する潤滑剤、例えば、マイクロエンカプセルシリコンオイル。
【００２９】
Ｂ．カミソリ部品とカミソリ面との間のひっかき傷を低減する薬品、例えば、１０，０００と６，０００，０００との間の分子重量の範囲のポリエチレンオキサイド、非イオン性ポリアクリルアミド、および／または“グアーガム”のような植物材料から抽出された天然多糖類。
【００３０】
Ｃ．カミソリ刃がひげを非常に容易に通過することができるようにする毛の化学的な構造を変化させる薬品、例えば、化粧用脱毛剤が１つの例である。
【００３１】
Ｄ．シェービング中にひげおよび皮膚のくずをカミソリ部品から容易に洗い流すことができるクリーニング剤、例えば、シリコンポリエチレンオキシドブロック・共重合体およびソジウム・ラウリン・サルフェートのような洗浄剤。
【００３２】
Ｅ．微生物を殺し、皮膚の損傷および擦過症を治療する薬品。
【００３３】
Ｆ．皮膚を柔軟にし、円滑にし、コンディショニングし、改善する化粧品。
【００３４】
Ｇ．切り傷および切れ目から生じる出血を抑制する止血剤。
【００３５】
Ｈ．血管を収縮し、シェービング中に切れた皮膚から出るリンパ液のような体液を止めるアストリンゼン。
【００３６】
別の例として、シェービング補助剤は、Thoeneに付与された米国特許第５，０５６，２２１号、Rowsellらに付与された米国特許第４，０４４，１２０号、Davisらに付与された米国特許第５，０９５，６１９号またはヤマザキらの日本特許出願平７（１９９５）−２４１５６号に示されている。これらはここに参考例として組み込まれている。
【００３７】
他の活性成分は、種々の顔料、チタニウムダイオキサイド、芳香剤、アロエベラ、香料、エッセンシャルオイル、植物油を含む。１つまたはそれ以上の活性成分に加えて、本発明のシェービング補助剤は、ポリスチレンおよびポリプロピレンのような非水溶性ポリマーのような他の成分または成分の混合物を有する。
【図面の簡単な説明】
【図１】    本発明のカミソリヘッドの１つの実施例の斜視図である。
【図２】    図１に示すカミソリヘッドの正面図である。
【図３】    図１に示すカミソリヘッドの平面図である。
【図４】    図２の線４−４に沿った拡大断面図である。
【図５】    図２の線５−５に沿った拡大断面図である。
【図６】    図１に示すカミソリヘッドの底面図である。
【図７】    カミソリヘッドの刃が垂直方向変位および角度的変位を伴ってたわんだ図５のカミソリヘッドの拡大断面図である。
【図１】
0004545241.tif 000002
【図２】
0004545241.tif 000003
【図３】
0004545241.tif 000004
【図４】
0004545241.tif 000005
【図５】
0004545241.tif 000006
【図６】
0004545241.tif 000007
【図７】
0004545241.tif 000008